(57)【要約】【課題】動作フィーリングの悪化を抑制することができるコネクタを提供することを目的とする。【解決手段】コネクタ１は、第１係止部５４を有する第１ハウジング５と、第１係止部５４に係止可能である第２係止部７３を有する第２ハウジング７と、第２係止部７３が第１係止部５４に係止された状態で初期位置から嵌合保証位置に移動可能となると共に初期位置から嵌合保証位置への移動に伴って第１係止部５４、及び、第２係止部７３を順に乗り越えて嵌合保証位置で第２係止部７３に係止可能である第３係止部９３を有する嵌合検知部材９とを備え、第１係止部５４は、突出先端５４ｅ側から第１係止面５４ｂ側に向けて傾斜する引き込み傾斜面５４ｃと、引き込み傾斜面５４ｃから突出した突起部５４ｄとを有し、第２係止部７３は、突起部５４ｄを収容可能である切り欠き部７３ｃを有する。【選択図】図１
2017111910.tif 000002
【特許請求の範囲】
【請求項１】
第１端子が設けられると共に外面から突出して形成された第１係止部を有する第１ハウジングと、
前記第１端子と接続される第２端子が設けられ前記第１ハウジングと嵌合可能に構成されると共に前記第１ハウジングと嵌合した状態で前記第１係止部を乗り越えて当該第１係止部に係止可能である第２係止部を有する第２ハウジングと、
前記第２ハウジングに組み付けられ前記第２係止部が前記第１係止部に係止された状態で初期位置から嵌合保証位置に移動可能となると共に前記初期位置から前記嵌合保証位置への移動に伴って前記第１係止部、及び、当該第１係止部に係止されている前記第２係止部を順に乗り越えて前記嵌合保証位置で前記第２係止部に係止可能である第３係止部を有する嵌合検知部材とを備え、
前記第１係止部は、前記第２係止部を係止する第１係止面と、突出先端側から前記第１係止面側に向けて傾斜する引き込み傾斜面と、前記引き込み傾斜面から突出した突起部とを有し、
前記第２係止部は、前記第２係止部が前記第１係止部に乗り上げた際に前記第１係止部と対向する案内部と、前記案内部に凹部状に形成され前記突起部を収容可能である切り欠き部とを有することを特徴とする、
コネクタ。
【請求項２】
前記突起部は、前記第２係止部が前記第１係止部に係止された状態で、前記第１係止部の突出先端と前記引き込み傾斜面と前記第２係止部との間に形成される空間部内に突出する、
請求項１に記載のコネクタ。
【請求項３】
前記第２係止部は、前記第１係止部の前記第１係止面に係止される第２係止面を有し、
前記切り欠き部は、前記第２係止部が前記第１係止部を乗り越える際の前記第１係止部と前記第２係止部との相対移動の方向に沿って形成され前記第２係止面まで延在し、前記第１係止部と前記第２係止部との相対移動に伴った前記第２係止部と前記突起部との接触を回避する、
請求項１又は請求項２に記載のコネクタ。
【請求項４】
前記第３係止部は、前記第２係止部が前記第１係止部に係止されていない状態で前記第２係止部と当接し前記初期位置から前記嵌合保証位置への移動が規制され、前記第２係止部が前記第１係止部に係止された状態で前記第１係止部に乗り上げて前記初期位置から前記嵌合保証位置への移動が可能となる、
請求項１乃至請求項３のいずれか１項に記載のコネクタ。
【発明の詳細な説明】
【技術分野】
【０００１】
本発明は、コネクタに関する。
【背景技術】
【０００２】
ワイヤハーネス等に適用される従来のコネクタとして、例えば、特許文献１には、オスコネクタと、メスコネクタと、メスコネクタの外側にスライド可能に取り付けられた嵌合保証部材としてのＣＰＡとを備えた半嵌合防止コネクタが開示されている。当該半嵌合防止コネクタは、オスコネクタがオスビークと、ショートばねおよび端子とを備え、メスコネクタがオスビークを乗り越えるメスロックと、ショートばねおよび端子との間へ挿入される短絡解除板部とを備えている。そして、この半嵌合防止コネクタは、オスビークの先端部に引き込み傾斜面を形成したことにより、メスロックが引き込み傾斜面で推進力を得て、これが短絡解除板部の挿入力を軽減する。
【先行技術文献】
【特許文献】
【０００３】
【特許文献１】特開２０１２−０６４４６１号公報
【発明の概要】
【発明が解決しようとする課題】
【０００４】
ところで、上述の特許文献１に記載の半嵌合防止コネクタは、例えば、ＣＰＡをスライドさせ当該ＣＰＡが備えるＣＰＡロックをオスビーク、及び、メスロックを順に乗り越えさせる際に当該ＣＰＡロックがオスビークとメスロックとの間に一旦嵌り込むことで動作フィーリングが悪化するおそれがあり、この点で更なる改善の余地がある。
【０００５】
本発明は、上記の事情に鑑みてなされたものであって、動作フィーリングの悪化を抑制することができるコネクタを提供することを目的とする。
【課題を解決するための手段】
【０００６】
上記目的を達成するために、本発明に係るコネクタは、第１端子が設けられると共に外面から突出して形成された第１係止部を有する第１ハウジングと、前記第１端子と接続される第２端子が設けられ前記第１ハウジングと嵌合可能に構成されると共に前記第１ハウジングと嵌合した状態で前記第１係止部を乗り越えて当該第１係止部に係止可能である第２係止部を有する第２ハウジングと、前記第２ハウジングに組み付けられ前記第２係止部が前記第１係止部に係止された状態で初期位置から嵌合保証位置に移動可能となると共に前記初期位置から前記嵌合保証位置への移動に伴って前記第１係止部、及び、当該第１係止部に係止されている前記第２係止部を順に乗り越えて前記嵌合保証位置で前記第２係止部に係止可能である第３係止部を有する嵌合検知部材とを備え、前記第１係止部は、前記第２係止部を係止する第１係止面と、突出先端側から前記第１係止面側に向けて傾斜する引き込み傾斜面と、前記引き込み傾斜面から突出した突起部とを有し、前記第２係止部は、前記第２係止部が前記第１係止部に乗り上げた際に前記第１係止部と対向する案内部と、前記案内部に凹部状に形成され前記突起部を収容可能である切り欠き部とを有することを特徴とする。
【０００７】
また、上記コネクタでは、前記突起部は、前記第２係止部が前記第１係止部に係止された状態で、前記第１係止部の突出先端と前記引き込み傾斜面と前記第２係止部との間に形成される空間部内に突出するものとすることができる。
【０００８】
また、上記コネクタでは、前記第２係止部は、前記第１係止部の前記第１係止面に係止される第２係止面を有し、前記切り欠き部は、前記第２係止部が前記第１係止部を乗り越える際の前記第１係止部と前記第２係止部との相対移動の方向に沿って形成され前記第２係止面まで延在し、前記第１係止部と前記第２係止部との相対移動に伴った前記第２係止部と前記突起部との接触を回避するものとすることができる。
【０００９】
また、上記コネクタでは、前記第３係止部は、前記第２係止部が前記第１係止部に係止されていない状態で前記第２係止部と当接し前記初期位置から前記嵌合保証位置への移動が規制され、前記第２係止部が前記第１係止部に係止された状態で前記第１係止部に乗り上げて前記初期位置から前記嵌合保証位置への移動が可能となるものとすることができる。
【発明の効果】
【００１０】
本発明に係るコネクタは、第２係止部が第１係止部に係止された状態で、嵌合検知部材を初期位置から嵌合保証位置へ移動させ、第３係止部を第１係止部、第２係止部の順で乗り越えさせて第２係止部に係止する際に、引き込み傾斜面から突出した突起部によって第１係止部と第２係止部との間で当該第３係止部が支持されるので、第３係止部が第１係止部と第２係止部との間で引っ掛かることを抑制することができる。この場合、コネクタは、第１ハウジングと第２ハウジングとを嵌合させ第２係止部が第１係止部を乗り越えて当該第１係止部に係止される際に、第２係止部の案内部が第１係止部の引き込み傾斜面によって案内される。このとき、コネクタは、切り欠き部によって突起部が第２係止部に接触することが回避されるので、引き込み傾斜面による第１ハウジングと第２ハウジングとの嵌合挿入力の低減効果が低下することを抑制することができる。この結果、コネクタは、動作フィーリングの悪化を抑制することができる、という効果を奏する。
【図面の簡単な説明】
【００１１】
【図１】図１は、実施形態に係るコネクタの概略構成を表す分解斜視図である。
【図２】図２は、実施形態に係るコネクタの概略構成を表す分解斜視図である。
【図３】図３は、実施形態に係るコネクタの概略構成を表す分解斜視図である。
【図４】図４は、実施形態に係るコネクタの概略構成を表す分解斜視図である。
【図５】図５は、実施形態に係るコネクタが備えるメスハウジングの軸方向、及び、高さ方向に沿った断面図である。
【図６】図６は、実施形態に係るコネクタが備えるＣＰＡ部材の概略構成を表す斜視図である。
【図７】図７は、実施形態に係るコネクタが備えるメスハウジングの軸方向、及び、高さ方向に沿った断面図である。
【図８】図８は、実施形態に係るコネクタが備える規制突起部を含む部分断面斜視図である。
【図９】図９は、実施形態に係るコネクタが備えるメスハウジングの軸方向、及び、高さ方向に沿った断面図である。
【図１０】図１０は、実施形態に係るコネクタが備えるメスハウジングの軸方向、及び、高さ方向に沿った断面図である。
【図１１】図１１は、実施形態に係るコネクタが備える係止突起部を含む部分断面斜視図である。
【図１２】図１２は、実施形態に係るコネクタが備えるオスビークを含む部分斜視図である。
【図１３】図１３は、実施形態に係るコネクタが備えるメスロック部を含む部分斜視図である。
【図１４】図１４は、実施形態に係るコネクタが備えるオスビーク、メスロック部、及び、ＣＰＡロック部を含む部分断面図である。
【図１５】図１５は、実施形態に係るコネクタが備えるオスビーク、メスロック部、及び、ＣＰＡロック部を含む部分断面図である。
【図１６】図１６は、実施形態に係るコネクタが備えるオスビーク、メスロック部、及び、ＣＰＡロック部を含む部分断面図である。
【図１７】図１７は、実施形態に係るコネクタが備えるオスビーク、メスロック部、及び、ＣＰＡロック部を含む部分断面図である。
【図１８】図１８は、実施形態に係るコネクタが備えるオスビーク、及び、メスロック部を含む部分斜視図である。
【図１９】図１９は、実施形態に係るコネクタが備えるオスビーク、メスロック部、及び、ＣＰＡロック部を含む部分断面図である。
【図２０】図２０は、実施形態に係るコネクタが備えるガタ詰めリブ部を含む幅方向、及び、高さ方向に沿った断面図である。
【図２１】図２１は、実施形態に係るコネクタが備えるガタ詰めリブ部を含む軸方向、及び、高さ方向に沿った断面図である。
【図２２】図２２は、実施形態に係るコネクタが備えるガタ詰めリブ部を含む軸方向、及び、高さ方向に沿った断面図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態］
図１、図２、図３、図４は、実施形態に係るコネクタの概略構成を表す分解斜視図である。図５は、実施形態に係るコネクタが備えるメスハウジングの軸方向、及び、高さ方向に沿った断面図である。図６は、実施形態に係るコネクタが備えるＣＰＡ部材の概略構成を表す斜視図である。図７、図９、図１０は、実施形態に係るコネクタが備えるメスハウジングの軸方向、及び、高さ方向に沿った断面図である。図８は、実施形態に係るコネクタが備える規制突起部を含む部分断面斜視図である。図１１は、実施形態に係るコネクタが備える係止突起部を含む部分断面斜視図である。図１２は、実施形態に係るコネクタが備えるオスビークを含む部分斜視図である。図１３は、実施形態に係るコネクタが備えるメスロック部を含む部分斜視図である。図１４、図１５、図１６、図１７、図１９は、実施形態に係るコネクタが備えるオスビーク、メスロック部、及び、ＣＰＡロック部を含む部分断面図である。図１８は、実施形態に係るコネクタが備えるオスビーク、及び、メスロック部を含む部分斜視図である。図２０は、実施形態に係るコネクタが備えるガタ詰めリブ部を含む幅方向、及び、高さ方向に沿った断面図である。図２１、図２２は、実施形態に係るコネクタが備えるガタ詰めリブ部を含む軸方向、及び、高さ方向に沿った断面図である。
【００１４】
なお、図１、図２は、メスコネクタを構成する各要素を組み合わせた状態を表し、図３、図４は、メスコネクタを構成する各要素を分解した状態を表している。また、図１、図５、図２１、図２２は、端子に接続される一部の電線を二点鎖線で図示しており、他図では当該電線の図示を省略している。同様に、図５、図２０、図２１、図２２は、メスコネクタのメス端子を二点鎖線で図示しており、他図では当該メス端子の図示を省略している。また、各図において、オスハウジングは、フード部を含む一部分を部分的に図示している。また、図７は、ＣＰＡ部材が初期位置にある状態を表しており、図９は、オスハウジングとメスハウジングとが完全嵌合した状態を表しており、図１０は、ＣＰＡ部材が嵌合保証位置にある状態を表している。
【００１５】
図１、図２、図３、図４等に示す本実施形態のコネクタ１は、例えば、自動車等に使用されるワイヤハーネスＷＨ等に適用される。ここでは、コネクタ１は、ワイヤハーネスＷＨを構成する電線Ｗ１と電線Ｗ２とを接続する電線対電線接続用の接続機構である。ここで、電線Ｗ１、Ｗ２は、例えば、複数の導電性の金属素線を撚り合わせた導体部（芯線）と、当該導体部の外側を覆う絶縁性の被覆部とを含んで構成される。このコネクタ１は、第１コネクタとしてのオスコネクタ２と、第２コネクタとしてのメスコネクタ３とを備え、オスコネクタ２とメスコネクタ３が相互に嵌合しコネクタ接合されることで、それぞれが備えるオス端子４、メス端子６が電気的に接続され、相互間に電気的な接続部位が形成される。
【００１６】
なお、以下の説明では、互いに交差する第１方向、第２方向、及び、第３方向のうち、第１方向を「軸方向Ｘ」といい、第２方向を「幅方向Ｙ」といい、第３方向を「高さ方向Ｚ」という。ここでは、軸方向Ｘと幅方向Ｙと高さ方向Ｚとは、相互に直交する。軸方向Ｘは、典型的には、オスコネクタ２とメスコネクタ３との嵌合方向に沿った方向であり、さらに言えば、オスコネクタ２、メスコネクタ３が備えるオス端子４、メス端子６の延在方向に沿った方向である。オスコネクタ２とメスコネクタ３とは、軸方向Ｘに対して対向して配置され嵌合される。以下の説明で用いる各方向は、特に断りのない限り、各部が相互に組み付けられた状態での方向を表すものとする。
【００１７】
オスコネクタ２は、図１、図２、図３、図４等に示すように、ワイヤハーネスＷＨを構成する第１電線である電線Ｗ１の末端に接続されるオス型のコネクタである。オスコネクタ２は、第１端子としてのオス端子４と、当該オス端子４が設けられる第１ハウジングとしてのオスハウジング５とを備える。なお、以下の説明では、オスコネクタ２において、軸方向Ｘのメスコネクタ３側を前側といい、反対側を軸方向Ｘの後側という場合がある。
【００１８】
オス端子４は、コネクタ用のオス型の端子金具であり、電線Ｗ１の末端に接続され全体が導電性の金属によって構成される。オスハウジング５は、オス端子４が設けられるオス型のコネクタハウジングであり、絶縁性の合成樹脂材等によって形成される。オスハウジング５は、嵌合空間部５２が形成されたフード部５１を有する。フード部５１は、軸線が軸方向Ｘに沿った略長円筒状に形成され、内側に上記嵌合空間部５２が形成される。嵌合空間部５２は、後述するメスコネクタ３のメスハウジング７が嵌合する空間部である。オスハウジング５は、嵌合空間部５２内にオス端子４の先端部（軸方向Ｘの前側端部）が露出するようにして当該オス端子４を保持する。オス端子４は、オスハウジング５に保持された状態で軸方向Ｘに沿って延在する。オス端子４は、例えば、嵌合空間部５２内に露出する先端部とは反対側の端部（軸方向Ｘの後側端部）が、フード部５１と一体で成形される端子保持部の端子挿入室（キャビティとも呼ばれることもある）内に保持され当該端部に電線Ｗ１が接続される。オス端子４は、軸方向Ｘの後側から端子挿入室内に挿入されて保持され、軸方向Ｘの前側の先端部がフード部５１の嵌合空間部５２内に露出する。オスコネクタ２は、軸方向Ｘの前側にフード部５１が開口し、軸方向Ｘの後側に電線Ｗ１が延在する。オスハウジング５は、複数、ここでは、２つのオス端子４を保持する。
【００１９】
そして、オスコネクタ２は、フード部５１の外面に、複数の突状リブ部５３と、第１係止部としてのオスビーク５４とを有する。突状リブ部５３は、フード部５１の外面から突出して形成され、軸方向Ｘに沿って直線棒状に延在する。突状リブ部５３は、ＣＰＡ部材９に挿入され、当該ＣＰＡ部材９に支持される部分である。突状リブ部５３は、フード部５１の４つの角にそれぞれ１つずつ、合計４つが設けられる。ここでは、４つの突状リブ部５３を区別して説明する場合には便宜的に突状リブ部５３ａ、５３ｂ、５３ｃ、５３ｄという場合がある。オスビーク５４は、フード部５１の外面から突出して形成される。オスビーク５４は、フード部５１の軸方向Ｘ、及び、幅方向Ｙに沿った外面のうちの１つにおいて、ほぼ中央に爪状に１つ形成される。オスビーク５４は、高さ方向Ｚに沿って突出するようにして形成される。オスビーク５４は、後述するメスコネクタ３のメスロック部７３が係止される部分である。なお、このオスビーク５４の形状については、後でより詳細に説明する。
【００２０】
メスコネクタ３は、図１、図２、図３、図４、図５等に示すように、ワイヤハーネスＷＨを構成する第２電線である電線Ｗ２の末端に接続されるメス型のコネクタである。メスコネクタ３は、第２端子としてのメス端子６（図５参照）と、当該メス端子６が設けられる第２ハウジングとしてのメスハウジング７と、メスハウジング７に組み付けられるスペーサ８と、メスハウジング７に対して軸方向Ｘに沿って相対移動可能に組み付けられる嵌合検知部材としてのＣＰＡ部材９とを備える。なお、以下の説明では、メスコネクタ３において、軸方向Ｘのオスコネクタ２側を前側といい、反対側を軸方向Ｘの後側という場合がある。
【００２１】
ここで、メス端子６は、コネクタ用のメス型の端子金具であり、電線Ｗ２の末端に接続され全体が導電性の金属によって構成される。メスコネクタ３は、メスハウジング７がオスハウジング５の嵌合空間部５２に嵌合し、当該メス端子６がオスコネクタ２のオス端子４と電気的に接続される。
【００２２】
メスハウジング７は、図３、図４、図５等に示すように、メス端子６が設けられるメス型のコネクタハウジングであり、絶縁性の合成樹脂材等によって形成される。メスハウジング７は、メス端子６を保持し、オスハウジング５の嵌合空間部５２に嵌合可能な部材である。メスハウジング７は、メス端子６を保持すると共にスペーサ８、ＣＰＡ部材９が組み付けられるメス本体部７１と、メス本体部７１から延在するメスロックアーム部７２と、メスロックアーム部７２に形成された第２係止部としてのメスロック部７３とを有する。メス本体部７１は、軸線が軸方向Ｘに沿った略長円柱状に形成される。メスロックアーム部７２は、当該メス本体部７１の軸方向Ｘの後側の端部に片持ち状に支持され、軸方向Ｘに沿って前側に向けて延在する。メスロック部７３は、メスロックアーム部７２において軸方向Ｘの前側の端部に形成される。メスロックアーム部７２、及び、メスロック部７３は、メスハウジング７をオスコネクタ２のオスハウジング５に係止するための係止機構を構成するものである。メスハウジング７は、メス本体部７１とメスロックアーム部７２とメスロック部７３とが絶縁性の合成樹脂材等によって一体成形される。
【００２３】
メス本体部７１は、オスハウジング５の嵌合空間部５２に嵌合される部分であり、端子挿入室７１ａと、スペーサ嵌合部７１ｂとを有し、各部が一体的に形成される。メス本体部７１は、端子挿入室７１ａに対して軸方向Ｘの後側からメス端子６が挿入されると共にスペーサ嵌合部７１ｂに対して幅方向Ｙの一方側からスペーサ８が挿入されることで、メス端子６を保持する。
【００２４】
具体的には、端子挿入室７１ａは、メス端子６を軸方向Ｘに沿って挿入可能であり当該メス端子６を保持する空間部である。端子挿入室７１ａは、キャビティとも呼ばれることがある。端子挿入室７１ａは、メス本体部７１の内部に延在して中空状に形成され、メス端子６を収容する。端子挿入室７１ａは、軸方向Ｘに沿って延在する。端子挿入室７１ａは、メス端子６の外形形状に応じて当該メス端子６が挿入可能な大きさ、形状の空間部として形成される。端子挿入室７１ａは、軸方向Ｘの後側にメス端子挿入開口部７１ｃが形成され、軸方向Ｘの前側にオス端子挿入開口部７１ｄが形成される。メス端子挿入開口部７１ｃは、メス端子６が挿入される開口部としてメス本体部７１の外部に対して軸方向Ｘの後側に向けて開口する。オス端子挿入開口部７１ｄは、メス端子６に電気的に接続されるオスコネクタ２のオス端子４が挿入される開口部としてメス本体部７１の外部に対して軸方向Ｘの前側に向けて開口する。端子挿入室７１ａは、メスコネクタ３に設けられる複数のメス端子６の数に応じて複数、ここでは幅方向Ｙに並んで２つ設けられる。メス本体部７１は、メス端子挿入開口部７１ｃを介して端子挿入室７１ａにメス端子６が挿入される。
【００２５】
スペーサ嵌合部７１ｂは、スペーサ８が嵌合する空間部である。スペーサ嵌合部７１ｂは、端子挿入室７１ａの延在方向と交差する方向、ここでは、幅方向Ｙに沿って延在し端子挿入室７１ａと連通する。スペーサ嵌合部７１ｂは、各端子挿入室７１ａの軸方向Ｘの中腹部分と連通し、メス本体部７１を幅方向Ｙに沿って貫通している。
【００２６】
ここで、本実施形態のメス本体部７１は、より詳細には、軸方向Ｘに沿って延在する大径部７１Ａ、及び、小径部７１Ｂを含んで構成され、全体が一体で形成される。大径部７１Ａと小径部７１Ｂとは、共に軸線が軸方向Ｘに沿った略長円柱状に形成され、大径部７１Ａが軸方向Ｘの後側に位置し小径部７１Ｂが軸方向Ｘの前側に位置して軸方向Ｘに隣接して一体で形成される。大径部７１Ａは、軸方向Ｘと直交する方向の径が小径部７１Ｂより大きく形成され、言い換えれば、小径部７１Ｂは、軸方向Ｘと直交する方向の径が大径部７１Ａより小さく形成される。大径部７１Ａは、メスロックアーム部７２を片持ち状に支持する基端部となる部分である。一方、小径部７１Ｂは、メス本体部７１においてオスハウジング５の嵌合空間部５２に嵌合される部分であり、当該嵌合空間部５２に嵌合可能な大きさ、形状に形成される。上記大径部７１Ａは、小径部７１Ｂが嵌合空間部５２に嵌合した状態で、当該オスハウジング５の嵌合空間部５２から露出する。ここでは、メス本体部７１は、大径部７１Ａと小径部７１Ｂとの段差部分に環状に形成された止水用パッキン７４が装着されている。上述した端子挿入室７１ａは、メス本体部７１において、軸方向Ｘに沿って大径部７１Ａと小径部７１Ｂとに渡って延在する。上述したスペーサ嵌合部７１ｂは、メス本体部７１において、小径部７１Ｂに形成される。
【００２７】
そして、メス本体部７１は、さらに大径部７１Ａの外面に、複数の突状リブ部７５と、複数の規制突起部７６とを有する。突状リブ部７５は、大径部７１Ａの軸方向Ｘの後側の端部において、外面から突出して形成され、軸方向Ｘに沿って直線棒状に延在する。突状リブ部７５は、ＣＰＡ部材９に挿入され、当該ＣＰＡ部材９に支持される部分である。突状リブ部７５は、大径部７１Ａの２つの角にそれぞれ１つずつ、合計２つが設けられる。ここでは、２つの突状リブ部７５を区別して説明する場合には便宜的に突状リブ部７５ａ、７５ｂという場合がある。突状リブ部７５ａ、７５ｂは、高さ方向Ｚにおいて、メスロックアーム部７２が設けられる側とは反対側の２つの角に設けられる。突状リブ部７５ａ、７５ｂは、幅方向Ｙに対して相互に対向する位置に形成される。規制突起部７６は、大径部７１Ａの軸方向Ｘの後側の端部において、外面から突出して形成される。規制突起部７６は、ＣＰＡ部材９に挿入され所定の部位（後述するＣＰＡ部材９の規制突起部９６ｃ）に当接することでメスハウジング７とＣＰＡ部材９との軸方向Ｘに沿った相対移動を所定の位置（後述するＣＰＡ部材９の初期位置）で規制する部分である。規制突起部７６は、大径部７１Ａの幅方向Ｙの両端部における高さ方向Ｚに沿った中腹部分において、幅方向Ｙに沿って突出するようにして爪状に１つずつ、合計２つが形成される。ここでは、２つの規制突起部７６を区別して説明する場合には便宜的に規制突起部７６ａ、７６ｂという場合がある。規制突起部７６ａ、７６ｂは、幅方向Ｙに対して相互に対向する位置に形成される。
【００２８】
また、本実施形態のメスハウジング７は、メス本体部７１の大径部７１Ａの軸方向Ｘの後側の端面に規制端面７７が形成される。規制端面７７は、ＣＰＡ部材９の所定の部位（後述するＣＰＡ部材９の規制壁部９１ｃ）に当接することでメスハウジング７とＣＰＡ部材９との軸方向Ｘに沿った相対移動を所定の位置（後述するＣＰＡ部材９の嵌合保証位置）で規制する部分である。規制端面７７は、軸方向Ｘに沿って円筒状に突出した円筒部７７ａが形成される。円筒部７７ａは、内周面側の空間部が端子挿入室７１ａの一部を構成し、軸方向Ｘの後側の開口がメス端子挿入開口部７１ｃを構成する。円筒部７７ａは、端子挿入室７１ａの数に応じて複数、ここでは幅方向Ｙに並んで２つ設けられ、互いに連結され一体化されている。
【００２９】
メスロックアーム部７２は、メス本体部７１の大径部７１Ａに対して可撓性を有する片持ち状に支持される部分であり、ここでは、第１アーム部７２Ａ、及び、第２アーム部７２Ｂを含んで構成され、全体が一体で形成される。
【００３０】
第１アーム部７２Ａは、メス本体部７１の軸方向Ｘの後側の端部、ここでは、大径部７１Ａに支持され、軸方向Ｘに沿って前側に向けて可撓性を有する片持ち状に延在して形成される。第１アーム部７２Ａは、メス本体部７１の大径部７１Ａから突出する基端部７２ａと、基端部７２ａから延在する一対の片持ち梁状部７２ｂとを含んで構成され、全体としてレバー状に形成される。基端部７２ａは、メス本体部７１の大径部７１Ａから高さ方向Ｚに沿って突出して形成される。一対の片持ち梁状部７２ｂは、基端部７２ａの高さ方向Ｚの先端から軸方向Ｘに沿って前側に向かって延在する。一対の片持ち梁状部７２ｂは、幅方向Ｙに対して相互に対向し軸方向Ｘに沿って並行して形成される。一対の片持ち梁状部７２ｂは、基端部７２ａとは反対側の端部、すなわち、軸方向Ｘの前側の端部にメスロック部７３を支持する。一対の片持ち梁状部７２ｂは、幅方向Ｙに対してメスロック部７３を挟み込むようにして当該メスロック部７３を支持する。言い換えれば、メスロック部７３は、幅方向Ｙに対して一対の片持ち梁状部７２ｂの間に幅方向Ｙに沿った梁状に形成され当該一対の片持ち梁状部７２ｂを連結する。第１アーム部７２Ａは、軸方向Ｘの後側の基端部７２ａで弾性変形可能な片持ち状に支持され、軸方向Ｘの前側のメスロック部７３側が自由端となる。これにより、第１アーム部７２Ａは、メス本体部７１の大径部７１Ａに対して、高さ方向Ｚに沿って弾性変形可能に支持される。
【００３１】
第２アーム部７２Ｂは、第１アーム部７２Ａの軸方向Ｘの前側の端部、ここでは、一対の片持ち梁状部７２ｂの軸方向Ｘの前側の端部に支持され、軸方向Ｘに沿って後側に向けて可撓性を有する片持ち状に延在して形成される。第２アーム部７２Ｂは、第１アーム部７２Ａの一対の片持ち梁状部７２ｂからそれぞれ突出する一対の基端部７２ｃと、一対の基端部７２ｃからそれぞれ延在する一対の片持ち梁状部７２ｄと、一対の片持ち梁状部７２ｄを連結する連結部７２ｅを含んで構成され、全体としてレバー状に形成される。一対の基端部７２ｃは、それぞれ一対の片持ち梁状部７２ｂから幅方向Ｙに沿って互いに反対側、すなわち、メスロック部７３とは反対側に向けて突出して形成される。一対の片持ち梁状部７２ｄは、一対の基端部７２ｃの幅方向Ｙの先端からそれぞれ軸方向Ｘに沿って後側に向かって延在する。一対の片持ち梁状部７２ｄは、幅方向Ｙに対して相互に対向し軸方向Ｘに沿って並行して形成される。より詳細には、一対の片持ち梁状部７２ｄは、幅方向Ｙに対して間に一対の片持ち梁状部７２ｂを挟んで軸方向Ｘに沿って並行して形成される。連結部７２ｅは、一対の片持ち梁状部７２ｄの基端部７２ｃとは反対側の端部、すなわち、軸方向Ｘの後側の端部を連結する。つまり、連結部７２ｅは、幅方向Ｙに対して一対の片持ち梁状部７２ｄの間に、幅方向Ｙに沿った梁状に形成され、当該一対の片持ち梁状部７２ｄを連結する。第２アーム部７２Ｂは、軸方向Ｘの前側の基端部７２ｃで弾性変形可能な片持ち状に支持され、軸方向Ｘの後側の連結部７２ｅ側が自由端となる。これにより、第２アーム部７２Ｂは、第１アーム部７２Ａに対して、高さ方向Ｚに沿って弾性変形可能に支持される。また、一対の片持ち梁状部７２ｄは、それぞれ幅方向Ｙの外側の面、すなわち、片持ち梁状部７２ｂと対向する面とは反対側の面に複数の突状リブ部７２ｆ、７２ｇ、７２ｈが設けられる。突状リブ部７２ｆ、７２ｇ、７２ｈは、それぞれ各片持ち梁状部７２ｄから幅方向Ｙに突出して形成される。突状リブ部７２ｆ、７２ｇ、７２ｈは、各片持ち梁状部７２ｄにおいて、それぞれ軸方向Ｘに沿って間隔をあけて形成される。突状リブ部７２ｆ、７２ｇ、７２ｈは、軸方向Ｘの前側から後側に向かって、突状リブ部７２ｆ、突状リブ部７２ｇ、突状リブ部７２ｈの順で形成される。ここでは、２つの突状リブ部７２ｆを区別して説明する場合には便宜的に突状リブ部７２ｆａ、７２ｆｂという場合がある。同様に、２つの突状リブ部７２ｇを区別して説明する場合には便宜的に突状リブ部７２ｇａ、７２ｇｂという場合があり、２つの突状リブ部７２ｈを区別して説明する場合には便宜的に突状リブ部７２ｈａ、７２ｈｂという場合がある。
【００３２】
メスロック部７３は、オスハウジング５の嵌合空間部５２にメスハウジング７のメス本体部７１の小径部７１Ｂが嵌合した状態（以下、単に「オスハウジング５がメスハウジング７に嵌合した状態」という場合がある）でオスビーク５４を乗り越えて当該オスビーク５４に係止可能な部分である。メスロック部７３は、上述したように一対の片持ち梁状部７２ｂの軸方向Ｘの前側の端部の間に支持される。メスロック部７３は、幅方向Ｙに沿った梁状に形成され当該一対の片持ち梁状部７２ｂを連結する。なお、このメスロック部７３の形状については、後でより詳細に説明する。
【００３３】
次に、メスハウジング７に組み付けられるスペーサ８は、図３、図４、図５等に示すように、端子挿入室７１ａにメス端子６を保持するための適正な端子保持力を確保する部材である。スペーサ８は、スペーサ嵌合部７１ｂに嵌合可能な大きさ、形状に形成され、当該スペーサ嵌合部７１ｂに対して幅方向Ｙに沿って着脱可能に組み付けられる。スペーサ８は、スペーサ嵌合部７１ｂに挿入されるようにして所定の位置に組み付けられることで、各端子挿入室７１ａ内に挿入、保持されている各メス端子６を当該各端子挿入室７１ａ内の正規位置に係止する。ここで、メス端子６の端子挿入室７１ａ内での正規位置とは、メス端子６とオス端子４との適正な電気的な接続が確保される位置である。
【００３４】
次に、メスハウジング７に組み付けられるＣＰＡ部材９は、図３、図４、図６等に示すように、メスハウジング７の外側を覆うようにして組み付けられ、オスコネクタ２とメスハウジング７とが完全に嵌合したことを検知するための部材であり、いわゆるＣＰＡ（Ｃｏｎｎｅｃｔｏｒ  Ｐｏｓｉｔｉｏｎ  ａｓｓｕｒａｎｃｅ：嵌合保証機能）を実現するための機能部材である。ＣＰＡ部材９は、メスハウジング７に対して軸方向Ｘに沿って相対移動可能に組み付けられる。ここでは、オスコネクタ２とメスハウジング７とが完全に嵌合した状態とは、メスハウジング７がオスハウジング５の嵌合空間部５２に適正な嵌合位置で嵌合した状態であり、典型的には、メスロック部７３がオスビーク５４に係止され、メス端子６とオス端子４との適正な電気的な接続が確保される嵌合状態である。
【００３５】
具体的には、ＣＰＡ部材９は、メスハウジング７に組み付けられるＣＰＡ本体部９１と、メス本体部７１から延在するＣＰＡロックアーム部９２と、ＣＰＡロックアーム部９２に形成された第３係止部としてのＣＰＡロック部９３とを有する。ＣＰＡ本体部９１は、軸線が軸方向Ｘに沿った略矩形筒状に形成される。ＣＰＡロックアーム部９２は、当該ＣＰＡ本体部９１の軸方向Ｘの後側の端部に片持ち状に支持され、軸方向Ｘに沿って前側に向けて延在する。ＣＰＡロック部９３は、ＣＰＡロックアーム部９２において軸方向Ｘの前側の端部に形成される。ＣＰＡロックアーム部９２、及び、ＣＰＡロック部９３は、ＣＰＡ部材９をメスハウジング７に係止するための係止機構を構成するものである。ＣＰＡ部材９は、ＣＰＡ本体部９１とＣＰＡロックアーム部９２とＣＰＡロック部９３とが絶縁性の合成樹脂材等によって一体成形される。
【００３６】
ＣＰＡ本体部９１は、メスハウジング７の外側を覆うようにして当該メスハウジング７に装着される部分であり、言い換えれば、内側にメスハウジング７が挿入され保持される部分である。ＣＰＡ本体部９１は、上述したように略矩形筒状に形成され、内側に保持室９１ａが形成される。保持室９１ａは、メスハウジング７を軸方向Ｘに沿って挿入可能であり当該メスハウジング７を相対移動可能に保持する空間部である。保持室９１ａは、ＣＰＡ本体部９１の内部に延在して中空状に形成され、メスハウジング７を収容する。保持室９１ａは、軸方向Ｘに沿って延在する。保持室９１ａは、メスハウジング７の外形形状に応じて当該メスハウジング７が挿入可能な大きさ、形状の空間部として形成される。保持室９１ａは、軸方向Ｘの前側にハウジング挿入開口部９１ｂが形成され、軸方向Ｘの後側に規制壁部９１ｃが設けられる。ハウジング挿入開口部９１ｂは、メスハウジング７が挿入される開口部としてＣＰＡ本体部９１の外部に対して軸方向Ｘの前側に向けて開口する。ＣＰＡ本体部９１は、ハウジング挿入開口部９１ｂを介して保持室９１ａにメスハウジング７が挿入される。規制壁部９１ｃは、メスハウジング７の規制端面７７に当接することでメスハウジング７とＣＰＡ部材９との軸方向Ｘに沿った相対移動を所定の位置（後述するＣＰＡ部材９の嵌合保証位置）で規制する部分である。規制壁部９１ｃは、ＣＰＡ本体部９１の軸方向Ｘの後側の開口の一部を塞ぐようにして形成され、円筒部７７ａが軸方向Ｘに貫通可能な貫通孔部９１ｄが形成されている。
【００３７】
さらに、ＣＰＡ本体部９１は、保持室９１ａ側の内面、すなわち、保持室９１ａと面し当該保持室９１ａを区画する内面に、一対の第１ガイド凹部９４と、一対の第２ガイド凹部９５と、一対の第３ガイド凹部９６と、一対の第４ガイド凹部９７とを有する。第１ガイド凹部９４、第２ガイド凹部９５、第３ガイド凹部９６、第４ガイド凹部９７は、それぞれメスハウジング７の一部、あるいは、オスハウジング５の一部が挿入され、これを軸方向Ｘに沿って案内可能な部分である。第１ガイド凹部９４、第２ガイド凹部９５、第３ガイド凹部９６、第４ガイド凹部９７は、ＣＰＡ本体部９１の高さ方向Ｚに沿った内面において、高さ方向Ｚの一方側から他方側に向かって、第１ガイド凹部９４、第２ガイド凹部９５、第３ガイド凹部９６、第４ガイド凹部９７の順で設けられる。各第１ガイド凹部９４、各第２ガイド凹部９５、各第３ガイド凹部９６、各第４ガイド凹部９７は、それぞれ幅方向Ｙに沿って窪んだ凹部状に形成され軸方向Ｘに沿って延在する。一対の第１ガイド凹部９４は、幅方向Ｙに対して相互に対向する位置に形成される。一対の第１ガイド凹部９４は、メスハウジング７のメスロックアーム部７２の突状リブ部７２ｆ、７２ｇ、７２ｈが挿入され軸方向Ｘに沿って案内可能に支持する。ここでは、２つの第１ガイド凹部９４を区別して説明する場合には便宜的に突状リブ部７２ｆａ、７２ｇａ、７２ｈａが挿入される方を第１ガイド凹部９４ａといい、突状リブ部７２ｆｂ、７２ｇｂ、７２ｈｂが挿入される方を第１ガイド凹部９４ｂという場合がある。一対の第２ガイド凹部９５は、幅方向Ｙに対して相互に対向する位置に形成される。一対の第２ガイド凹部９５は、オスハウジング５の突状リブ部５３が挿入され軸方向Ｘに沿って案内可能に支持する。ここでは、２つの第２ガイド凹部９５を区別して説明する場合には便宜的に突状リブ部５３ａが挿入される方を第２ガイド凹部９５ａといい、突状リブ部５３ｂが挿入される方を第２ガイド凹部９５ｂという場合がある。一対の第３ガイド凹部９６は、幅方向Ｙに対して相互に対向する位置に形成される。一対の第３ガイド凹部９６は、メスハウジング７のメス本体部７１の規制突起部７６が挿入され軸方向Ｘに沿って案内可能に支持する。ここでは、２つの第３ガイド凹部９６を区別して説明する場合には便宜的に規制突起部７６ａが挿入される方を第３ガイド凹部９６ａといい、規制突起部７６ｂが挿入される方を第３ガイド凹部９６ｂという場合がある。なお、ＣＰＡ本体部９１は、第３ガイド凹部９６ｂの軸方向Ｘの中腹部分に、メス本体部７１のスペーサ嵌合部７１ｂにスペーサ８を挿入するためのスペーサ挿入開口部９８が形成されている。一対の第４ガイド凹部９７は、幅方向Ｙに対して相互に対向する位置に形成される。一対の第４ガイド凹部９７は、メスハウジング７のメス本体部７１の突状リブ部７５、及び、オスハウジング５の突状リブ部５３が挿入され軸方向Ｘに沿って案内可能に支持する。ここでは、２つの第４ガイド凹部９７を区別して説明する場合には便宜的に突状リブ部７５ａ、５３ｃが挿入される方を第４ガイド凹部９７ａといい、突状リブ部７５ｂ、５３ｄが挿入される方を第４ガイド凹部９７ｂという場合がある。
【００３８】
また、ＣＰＡ本体部９１は、各第１ガイド凹部９４内にそれぞれ係止突起部９４ｃ、及び、規制突起部９４ｄが突出している。係止突起部９４ｃは、各第１ガイド凹部９４内の軸方向Ｘの後側の端部に形成される。係止突起部９４ｃは、ＣＰＡ部材９が所定の位置（後述するＣＰＡ部材９の嵌合保証位置）にある状態で、メスロックアーム部７２の突状リブ部７２ｇと突状リブ部７２ｈとの間に係止される部分である。ここでは、２つの係止突起部９４ｃを区別して説明する場合には便宜的に第１ガイド凹部９４ａに設けられる方を係止突起部９４ｃａといい、第１ガイド凹部９４ｂに設けられる方を係止突起部９４ｃｂという場合がある。規制突起部９４ｄは、各第１ガイド凹部９４内の軸方向Ｘの中腹部分に形成される。規制突起部９４ｄは、メスハウジング７のメスロックアーム部７２の突状リブ部７２ｆに当接することでメスハウジング７とＣＰＡ部材９との軸方向Ｘに沿った相対移動を所定の位置（後述するＣＰＡ部材９の嵌合保証位置）で規制する部分である。ここでは、２つの規制突起部９４ｄを区別して説明する場合には便宜的に第１ガイド凹部９４ａに設けられる方を規制突起部９４ｄａといい、第１ガイド凹部９４ｂに設けられる方を規制突起部９４ｄｂという場合がある。また、ＣＰＡ本体部９１は、各第３ガイド凹部９６内にそれぞれ規制突起部９６ｃが突出している。規制突起部９６ｃは、各第３ガイド凹部９６内の軸方向Ｘの中腹部分に形成される。規制突起部９６ｃは、メスハウジング７のメス本体部７１の規制突起部７６に当接することでメスハウジング７とＣＰＡ部材９との軸方向Ｘに沿った相対移動を所定の位置（後述するＣＰＡ部材９の初期位置）で規制する部分である。ここでは、２つの規制突起部９６ｃを区別して説明する場合には便宜的に第３ガイド凹部９６ａに設けられる方を規制突起部９６ｃａといい、第３ガイド凹部９６ｂに設けられる方を規制突起部９６ｃｂという場合がある。
【００３９】
ＣＰＡロックアーム部９２は、ＣＰＡ本体部９１の高さ方向Ｚの一方側の面、ここでは、第１ガイド凹部９４が位置する側の面に形成される開口部９１ｅに突出するようにして形成される略矩形柱状の部分である。ＣＰＡロックアーム部９２は、開口部９１ｅの軸方向Ｘの後側の縁部に支持され、軸方向Ｘに沿って前側に向けて可撓性を有する片持ち状に延在して形成される。ＣＰＡロックアーム部９２は、保持室９１ａ内に向けて延在する。ＣＰＡロックアーム部９２は、幅方向Ｙに対してＣＰＡ本体部９１の略中央部に位置する。ＣＰＡロックアーム部９２は、軸方向Ｘの後側の基端部で弾性変形可能な片持ち状に支持され、軸方向Ｘの前側の先端部が自由端となる。これにより、ＣＰＡロックアーム部９２は、基端部に対して、高さ方向Ｚに沿って弾性変形可能に支持される。そして、ＣＰＡロックアーム部９２は、軸方向Ｘの前側の先端部にＣＰＡロック部９３が形成される。
【００４０】
ＣＰＡロック部９３は、ＣＰＡ部材９がメスハウジング７に組み付けられ所定の位置（後述するＣＰＡ部材９の嵌合保証位置）にある状態で、メスロック部７３に係止可能な部分である。ＣＰＡロック部９３は、ＣＰＡロックアーム部９２の軸方向Ｘの前側の先端部から高さ方向Ｚに沿って保持室９１ａ側に向けて突出して形成される。ＣＰＡロック部９３は、ＣＰＡ部材９がメスハウジング７に組み付けられた状態で一対の片持ち梁状部７２ｂの間に位置する（図４等参照）。
【００４１】
上記のように構成されるコネクタ１において、メスコネクタ３は、図１、図２、図３、図４、図５等に示すように、ＣＰＡ部材９の軸方向Ｘの前側からハウジング挿入開口部９１ｂを介して保持室９１ａにメスハウジング７が挿入される。この場合、メスコネクタ３は、メスハウジング７の大径部７１Ａ側が保持室９１ａに挿入される。より詳細には、メスコネクタ３は、第１ガイド凹部９４ａに突状リブ部７２ｆａ、７２ｇａ、７２ｈａが挿入され、第１ガイド凹部９４ｂに突状リブ部７２ｆｂ、７２ｇｂ、７２ｈｂが挿入され、第３ガイド凹部９６ａに規制突起部７６ａが挿入され、第３ガイド凹部９６ｂに規制突起部７６ｂが挿入され、第４ガイド凹部９７ａに突状リブ部７５ａが挿入され、第４ガイド凹部９７ｂに突状リブ部７５ｂが挿入され、この位置関係でメスハウジング７とＣＰＡ部材９との軸方向Ｘに沿った相対移動が案内される。メスコネクタ３は、メスハウジング７の規制突起部７６ａ、規制突起部７６ｂがそれぞれＣＰＡ部材９のＣＰＡ本体部９１の壁面を撓ませながら規制突起部９６ｃａ、９６ｃｂを乗り越えて当該規制突起部９６ｃａ、９６ｃｂより軸方向Ｘの後側の位置まで挿入されることで、ＣＰＡ部材９とメスハウジング７との組み付けが完了する。メスコネクタ３は、この状態でメス本体部７１の軸線方向とＣＰＡ本体部９１の軸線方向とが沿うような位置関係で、ＣＰＡ本体部９１の保持室９１ａ内にメスハウジング７が保持されると共に、ＣＰＡロック部９３が幅方向Ｙに対して一対の片持ち梁状部７２ｂの間に位置する。
【００４２】
そして、メスコネクタ３は、メスハウジング７に形成された各端子挿入室７１ａに対してそれぞれ軸方向Ｘの後側からメス端子挿入開口部７１ｃを介してメス端子６が挿入されると共にスペーサ嵌合部７１ｂに対して幅方向Ｙの一方側からスペーサ挿入開口部９８等を介してスペーサ８が挿入されることで各メス端子６が各端子挿入室７１ａ内の正規位置で係止され保持される。
【００４３】
そして、本実施形態のメスコネクタ３は、上記のようにＣＰＡ部材９がメスハウジング７に組み付けられた状態で、図７、図９、図１０等に示すように、ＣＰＡ部材９が第１ガイド凹部９４、第２ガイド凹部９５、第３ガイド凹部９６、第４ガイド凹部９７に案内されながら軸方向Ｘに沿って初期位置と嵌合保証位置とに相対移動可能である。
【００４４】
ここで、ＣＰＡ部材９の初期位置とは、図７等に示すように、オスコネクタ２のオスハウジング５とメスコネクタ３のメスハウジング７とが完全に嵌合される前に位置する位置であり、典型的には、ＣＰＡロック部９３がメスロック部７３より軸方向Ｘの後側にある位置である。ＣＰＡ部材９は、基本的には、オスハウジング５とメスハウジング７とが完全に嵌合する前の状態ではこの初期位置に位置している。ＣＰＡ部材９は、初期位置にある状態では、ＣＰＡロック部９３の軸方向Ｘの前側端部がメスロック部７３の軸方向Ｘの後側端部と当接することで、メスハウジング７に対して軸方向Ｘの前側、すなわち、後述する嵌合保証位置側へ相対移動することが規制された状態となる。つまり、ＣＰＡ部材９は、軸方向Ｘに対して、メスロック部７３とＣＰＡロック部９３との間にオスビーク５４が介在していない状態、すなわち、メスロック部７３がオスビーク５４を乗り越えておらず未だオスビーク５４に係止されていない状態では、ＣＰＡロック部９３がメスロック部７３と当接することで初期位置から嵌合保証位置への相対移動が規制された状態となる。また、ＣＰＡ部材９は、初期位置にある状態では、図８等に示すように、ＣＰＡ本体部９１の規制突起部９６ｃａがメスハウジング７の規制突起部７６ａに当接し、規制突起部９６ｃｂが規制突起部７６ｂに当接することで、メスハウジング７に対して軸方向Ｘの後側へ相対移動することが規制され、メスハウジング７が保持室９１ａから脱落することが規制される。
【００４５】
そして、コネクタ１は、ＣＰＡ部材９がメスハウジング７に組み付けられ、当該ＣＰＡ部材９が初期位置にある状態で、メスコネクタ３とオスコネクタ２とが嵌合される。この場合、コネクタ１は、メスハウジング７の小径部７１Ｂがオスハウジング５の嵌合空間部５２に挿入、嵌合されると共に、ＣＰＡ部材９の第２ガイド凹部９５ａに突状リブ部５３ａが挿入され、第２ガイド凹部９５ｂに突状リブ部５３ｂが挿入され、この位置関係でメスハウジング７、ＣＰＡ部材９とオスハウジング５との軸方向Ｘに沿った相対移動が案内される。そして、コネクタ１は、メスハウジング７、ＣＰＡ部材９がオスハウジング５側に押圧され、メスハウジング７、ＣＰＡ部材９とオスハウジング５とが軸方向Ｘに沿った相対移動によって接近すると、当該相対移動に伴ってメスロックアーム部７２（第１アーム部７２Ａ、第２アーム部７２Ｂ）、及び、ＣＰＡロックアーム部９２が撓みながらメスロック部７３、及び、ＣＰＡロック部９３がオスビーク５４に乗り上げる。その後、コネクタ１は、図９に示すように、メスハウジング７、ＣＰＡ部材９とオスハウジング５との更なる相対移動に伴ってメスロック部７３がオスビーク５４を乗り越えて当該オスビーク５４に係止され、オスハウジング５とメスハウジング７とが完全に嵌合された状態となる。コネクタ１は、この状態で、メス端子６とオス端子４との適正な電気的な接続が確保される。そして、ＣＰＡ部材９は、この状態、すなわち、メスロック部７３がオスビーク５４を乗り越えて当該オスビーク５４に係止され、軸方向Ｘに対してメスロック部７３とＣＰＡロック部９３との間にオスビーク５４が介在する状態で、当該オスビーク５４に乗り上げて初期位置から嵌合保証位置への移動が可能な状態となる。コネクタ１は、オスハウジング５とメスハウジング７とが完全に嵌合された状態で、ＣＰＡ部材９が初期位置から軸方向Ｘの前側に押圧されることで嵌合保証位置に移動される。
【００４６】
ここで、ＣＰＡ部材９の嵌合保証位置とは、図１０等に示すように、メスコネクタ３のメスハウジング７がオスコネクタ２のオスハウジング５に完全に嵌合された後に移動可能となる位置であり、ＣＰＡ部材９が初期位置から軸方向Ｘの前側に押し込まれた位置である。さらに言えば、ＣＰＡ部材９の嵌合保証位置とは、オスハウジング５とメスハウジング７とが完全に嵌合したことを検知し保証する位置であり、典型的には、ＣＰＡロック部９３がオスビーク５４、及び、当該オスビーク５４に係止されているメスロック部７３を順に乗り越えてメスロック部７３に係止される位置である。ＣＰＡ部材９は、基本的には、オスハウジング５とメスハウジング７とが完全に嵌合した後の状態ではこの嵌合保証位置に移動される。ＣＰＡ部材９は、嵌合保証位置にある状態では、ＣＰＡロック部９３の軸方向Ｘの後側端部がメスロック部７３の軸方向Ｘの前側端部と当接することで、メスハウジング７に対して軸方向Ｘの後側、すなわち、初期位置側へ相対移動することが規制された状態となる。また、ＣＰＡ部材９は、嵌合保証位置にある状態では、ＣＰＡ部材９の規制突起部９４ｄａがメスハウジング７の突状リブ部７２ｆａに当接し、規制突起部９４ｄｂが突状リブ部７２ｆｂに当接すること、あるいは、ＣＰＡ部材９の規制壁部９１ｃがメスハウジング７の規制端面７７に当接することで、メスハウジング７に対して軸方向Ｘの前側へさらに相対移動することが規制される。このとき、コネクタ１は、規制端面７７の円筒部７７ａが規制壁部９１ｃの貫通孔部９１ｄから突出するようにして軸方向Ｘの後側に露出する。さらに、ＣＰＡ部材９は、嵌合保証位置にある状態では、図１１等に示すように、ＣＰＡ本体部９１の係止突起部９４ｃａがメスハウジング７の突状リブ部７２ｇａと突状リブ部７２ｈａとの間に係止され、係止突起部９４ｃｂが突状リブ部７２ｇｂと突状リブ部７２ｈｂとの間に係止されることで、当該嵌合保証位置にある状態が確実に維持される。なお、ＣＰＡ部材９において、初期位置、及び、初期位置から嵌合保証位置に至るまでの中間位置は、オスハウジング５とメスハウジング７との完全嵌合が未だ保証されていない嵌合未保証位置に相当する。
【００４７】
上記のようにして、ＣＰＡ部材９は、メスロック部７３がオスビーク５４に係止された状態で初期位置から嵌合保証位置に移動可能となると共に初期位置から嵌合保証位置への移動に伴って、ＣＰＡロック部９３がオスビーク５４、及び、当該オスビーク５４に係止されているメスロック部７３を順に乗り越えて嵌合保証位置でメスロック部７３に係止される。
【００４８】
コネクタ１は、メスハウジング７がオスハウジング５と完全に嵌合しなければ、オスハウジング５を初期位置から嵌合保証位置に移動させることができずＣＰＡロック部９３がメスロック部７３に係止されない構成となっている。このため、コネクタ１は、言い換えれば、ＣＰＡ部材９が初期位置から嵌合保証位置まで移動させられたことをもって、オスハウジング５とメスハウジング７とが完全に嵌合したことを保証することができる。
【００４９】
そして、本実施形態のコネクタ１は、上記のような構成において、図１２、図１３等に示すように、オスビーク５４に引き込み傾斜面５４ｃ、及び、突起部５４ｄを設けると共に、メスロック部７３に切り欠き部７３ｃを設けることで、動作フィーリングの悪化の抑制を図っている。
【００５０】
オスビーク５４は、図７、図９、図１０、図１２等に示すように、乗り上げ傾斜面５４ａと、第１係止面としてのオス側係止面５４ｂと、引き込み傾斜面５４ｃと、突起部５４ｄとを有する。
【００５１】
乗り上げ傾斜面５４ａは、オスビーク５４において、メスロック部７３、及び、ＣＰＡロック部９３が乗り上げる傾斜面である。乗り上げ傾斜面５４ａは、オスハウジング５において、オスビーク５４の軸方向Ｘの前側（すなわち、メスコネクタ３側）の端部に設けられる。乗り上げ傾斜面５４ａは、軸方向Ｘに対して傾斜しており、より詳細には、オスハウジング５の軸方向Ｘの前側から後側に向かってオスハウジング５の外面からの突出量が徐々に増加するように傾斜している。さらに言えば、乗り上げ傾斜面５４ａは、軸方向Ｘの前側の傾斜角が鋭角となるように傾斜して形成される。
【００５２】
オス側係止面５４ｂは、オスビーク５４において、メスロック部７３を係止する面である。オス側係止面５４ｂは、オスハウジング５において、オスビーク５４の軸方向Ｘの後側（すなわち、メスコネクタ３側とは反対側）の端部に設けられる。オス側係止面５４ｂは、オスハウジング５の外面から略垂直に立ち上がるように形成される。
【００５３】
引き込み傾斜面５４ｃは、オスビーク５４において、突出先端５４ｅ側からオス側係止面５４ｂ側に向けて傾斜する傾斜面である。言い換えれば、引き込み傾斜面５４ｃは、オスビーク５４における乗り上げ傾斜面５４ａの頂点である突出先端５４ｅからオス側係止面５４ｂによるメスロック部７３の係止位置側に向けて傾斜する傾斜面である。さらに言えば、引き込み傾斜面５４ｃは、乗り上げ傾斜面５４ａとは反対側に向かう傾斜面であり、突出先端５４ｅは、当該乗り上げ傾斜面５４ａと当該引き込み傾斜面５４ｃとの間の稜線部を形成する。引き込み傾斜面５４ｃは、乗り上げ傾斜面５４ａに乗り上げたメスロック部７３を当該オスビーク５４による係止位置側、すなわち、オス側係止面５４ｂ側に向けて案内する。
【００５４】
突起部５４ｄは、オスビーク５４において、引き込み傾斜面５４ｃから突出して形成される部分である。より詳細には、突起部５４ｄは、突出先端５４ｅより軸方向Ｘの後側の位置に形成される。つまり、突起部５４ｄは、突出先端５４ｅよりオス側係止面５４ｂ側に位置し、さらに言えば、オス側係止面５４ｂによるメスロック部７３の係止位置側に位置する。突起部５４ｄは、オスビーク５４において、幅方向Ｙのほぼ中央に１つ形成される。ここでは、突起部５４ｄは、高さ方向Ｚの先端面が突出先端５４ｅと共に軸方向Ｘに沿った平坦面を構成する。
【００５５】
メスロック部７３は、図７、図９、図１０、図１３等に示すように、第２係止面としてのメス側係止面７３ａと、案内部７３ｂと、切り欠き部７３ｃとを有する。
【００５６】
メス側係止面７３ａは、メスロック部７３において、オスビーク５４のオス側係止面５４ｂに係止される面である。メス側係止面７３ａは、メスハウジング７において、メスロック部７３の軸方向Ｘの後側（すなわち、オスコネクタ２側とは反対側）の端部に設けられる。メス側係止面７３ａは、メスロック部７３がオスビーク５４による係止位置にある状態で軸方向Ｘに対してオス側係止面５４ｂと対向し当該オス側係止面５４ｂに係止される。
【００５７】
案内部７３ｂは、メスロック部７３において、メスロック部７３がオスビーク５４に乗り上げた際に当該オスビーク５４と対向する部分である。案内部７３ｂは、典型的には、メスロック部７３において、高さ方向Ｚのメス本体部７１側を向いた面であり、メスロック部７３がオスビーク５４を乗り越える際に、乗り上げ傾斜面５４ａや引き込み傾斜面５４ｃと対向する面である。さらに言えば、案内部７３ｂは、メスロック部７３がオスビーク５４を乗り越える際に、乗り上げ傾斜面５４ａや引き込み傾斜面５４ｃと接触して摺動しながらオスビーク５４による係止位置側に向けて案内される面である。
【００５８】
切り欠き部７３ｃは、メスロック部７３において、案内部７３ｂに凹部状に形成され突起部５４ｄを収容可能に形成される部分である。切り欠き部７３ｃは、幅方向Ｙに対してオスビーク５４における突起部５４ｄの形成位置とほぼ同等の位置に形成される。切り欠き部７３ｃは、メスロック部７３がオスビーク５４を乗り越える際のオスビーク５４とメスロック部７３との相対移動の方向、すなわち、軸方向Ｘに沿って形成される。切り欠き部７３ｃは、メス側係止面７３ａまで延在して形成され、メス側係止面７３ａに開口している。切り欠き部７３ｃは、メスロック部７３が引き込み傾斜面５４ｃによってオスビーク５４による係止位置に向けて案内される際に突起部５４ｄが収容されることで、メスロック部７３とオスビーク５４との相対移動に伴ったメスロック部７３と突起部５４ｄとの接触を回避する部分である。
【００５９】
上記のように構成されるコネクタ１は、図７等に示したように、ＣＰＡ部材９が初期位置にある状態から、メスハウジング７、ＣＰＡ部材９がオスハウジング５側に押圧されると、図１４に示すように、メスハウジング７、ＣＰＡ部材９とオスハウジング５との相対移動に伴ってメスロック部７３、ＣＰＡロック部９３がオスビーク５４の乗り上げ傾斜面５４ａに乗り上げる。そして、コネクタ１は、メスハウジング７、ＣＰＡ部材９がさらにオスハウジング５側に押圧され相対移動すると、図１５に示すように、メスロック部７３の案内部７３ｂが乗り上げ傾斜面５４ａと接触し摺動しながらオスビーク５４の突出先端５４ｅ側に案内されさらに乗り上げていく。
【００６０】
コネクタ１は、この状態からメスハウジング７、ＣＰＡ部材９がさらにオスハウジング５側に押圧され相対移動すると、図１６に示すように、メスロック部７３の案内部７３ｂが引き込み傾斜面５４ｃと接触し摺動しながらオスビーク５４のオス側係止面５４ｂ側、すなわち、オスビーク５４によるメスロック部７３の係止位置側に向けて案内され引き落とされる。このとき、コネクタ１は、図１７に示すように、引き込み傾斜面５４ｃによって当該係止位置側に案内されるメスロック部７３において、切り欠き部７３ｃに引き込み傾斜面５４ｃ上の突起部５４ｄが収容されることで、メスロック部７３と突起部５４ｄとの接触が回避される。この結果、コネクタ１は、図９等に示したように、メスロック部７３がオスビーク５４を完全に乗り越えて当該オスビーク５４による係止位置まで滑らかに移動し、メスロック部７３のメス側係止面７３ａがオスビーク５４のオス側係止面５４ｂに対向して当接し係止され、オスハウジング５とメスハウジング７とが完全に嵌合した状態となる。
【００６１】
この状態で、コネクタ１は、図１８に示すように、突起部５４ｄが軸方向Ｘに対してオスビーク５４の突出先端５４ｅとメスロック部７３のメス側係止面７３ａとの間に位置した状態となる。つまり、突起部５４ｄは、メスロック部７３がオスビーク５４に係止された状態で、オスビーク５４の突出先端５４ｅと引き込み傾斜面５４ｃとメスロック部７３のメス側係止面７３ａとの間に形成される空間部ＳＰ内に突出した状態となる。当該空間部ＳＰは、突出先端５４ｅと引き込み傾斜面５４ｃとメス側係止面７３ａとによって囲われた隙間であり、言い換えれば、引き込み傾斜面５４ｃが設けられたことによって形成される隙間である。突起部５４ｄは、当該隙間として形成される空間部ＳＰに向けて突出する。
【００６２】
そして、コネクタ１は、ＣＰＡ部材９がさらにオスハウジング５側に押圧され相対移動すると、図１９に示すように、ＣＰＡロック部９３がオスビーク５４とメスロック部７３との間で、引き込み傾斜面５４ｃから突出した突起部５４ｄによって支持されながら、オスビーク５４、メスロック部７３を順に乗り越える。つまり、コネクタ１は、ＣＰＡロック部９３がオスビーク５４とメスロック部７３との間に形成された上記空間部ＳＰの部分を渡る際に、突起部５４ｄによって支持されながら当該空間部ＳＰの部分を渡るので、当該ＣＰＡロック部９３がオスビーク５４とメスロック部７３との間で引っ掛かることが抑制される。そして、コネクタ１は、図１０等に示したように、ＣＰＡ部材９が嵌合保証位置に移動し、ＣＰＡロック部９３がメスロック部７３に係止される。
【００６３】
以上で説明したコネクタ１によれば、オス端子４が設けられると共に外面から突出して形成されたオスビーク５４を有するオスハウジング５と、オス端子４と接続されるメス端子６が設けられオスハウジング５と嵌合可能に構成されると共にオスハウジング５と嵌合した状態でオスビーク５４を乗り越えて当該オスビーク５４に係止可能であるメスロック部７３を有するメスハウジング７と、メスハウジング７に組み付けられメスロック部７３がオスビーク５４に係止された状態で初期位置から嵌合保証位置に移動可能となると共に初期位置から嵌合保証位置への移動に伴ってオスビーク５４、及び、当該オスビーク５４に係止されているメスロック部７３を順に乗り越えて嵌合保証位置でメスロック部７３に係止可能であるＣＰＡロック部９３を有するＣＰＡ部材９とを備え、オスビーク５４は、メスロック部７３を係止するオス側係止面５４ｂと、突出先端５４ｅ側からオス側係止面５４ｂ側に向けて傾斜する引き込み傾斜面５４ｃと、引き込み傾斜面５４ｃから突出した突起部５４ｄとを有し、メスロック部７３は、メスロック部７３がオスビーク５４に乗り上げた際にオスビーク５４と対向する案内部７３ｂと、案内部７３ｂに凹部状に形成され突起部５４ｄを収容可能である切り欠き部７３ｃとを有する。
【００６４】
したがって、コネクタ１は、メスロック部７３がオスビーク５４に係止された状態で、ＣＰＡ部材９を初期位置から嵌合保証位置へ移動させ、ＣＰＡロック部９３をオスビーク５４、メスロック部７３の順で乗り越えさせてメスロック部７３に係止する際に、引き込み傾斜面５４ｃから突出した突起部５４ｄによってオスビーク５４とメスロック部７３との間で当該ＣＰＡロック部９３が支持されるので、ＣＰＡロック部９３がオスビーク５４とメスロック部７３との間で引っ掛かることを抑制することができる。この場合、コネクタ１は、オスハウジング５とメスハウジング７とを嵌合させメスロック部７３がオスビーク５４を乗り越えて当該オスビーク５４に係止される際に、メスロック部７３の案内部７３ｂがオスビーク５４の引き込み傾斜面５４ｃによって案内される。このとき、コネクタ１は、切り欠き部７３ｃによって突起部５４ｄがメスロック部７３に接触することが回避されるので、引き込み傾斜面５４ｃによるオスハウジング５とメスハウジング７との嵌合挿入力の低減効果が低下することを抑制することができる。この結果、コネクタ１は、ＣＰＡ部材９を移動させる際の動作フィーリングの悪化抑制と、オスハウジング５とメスハウジング７とを嵌合させる際の動作フィーリングの悪化抑制とを両立することができ、よって、動作フィーリングの悪化を抑制することができる。
【００６５】
より詳細には、以上で説明したコネクタ１によれば、突起部５４ｄは、メスロック部７３がオスビーク５４に係止された状態で、オスビーク５４の突出先端５４ｅと引き込み傾斜面５４ｃとメスロック部７３との間に形成される空間部ＳＰ内に突出する。したがって、コネクタ１は、ＣＰＡロック部９３がオスビーク５４とメスロック部７３との間に形成された上記空間部ＳＰの部分を渡る際に、突起部５４ｄによって支持されながら当該空間部ＳＰの部分を渡るので、当該ＣＰＡロック部９３がオスビーク５４とメスロック部７３との間で引っ掛かることを確実に抑制することができる。
【００６６】
さらに、以上で説明したコネクタ１によれば、メスロック部７３は、オスビーク５４のオス側係止面５４ｂに係止されるメス側係止面７３ａを有し、切り欠き部７３ｃは、メスロック部７３がオスビーク５４を乗り越える際のオスビーク５４とメスロック部７３との相対移動の方向に沿って形成されメス側係止面７３ａまで延在し、オスビーク５４とメスロック部７３との相対移動に伴ったメスロック部７３と突起部５４ｄとの接触を回避する。したがって、コネクタ１は、引き込み傾斜面５４ｃによって当該係止位置側に案内されるメスロック部７３において、切り欠き部７３ｃに引き込み傾斜面５４ｃ上の突起部５４ｄが収容されることで、メスロック部７３と突起部５４ｄとの接触を回避することができる。
【００６７】
さらに、以上で説明したコネクタ１によれば、ＣＰＡロック部９３は、メスロック部７３がオスビーク５４に係止されていない状態でメスロック部７３と当接し初期位置から嵌合保証位置への移動が規制され、メスロック部７３がオスビーク５４に係止された状態でオスビーク５４に乗り上げて初期位置から嵌合保証位置への移動が可能となる。したがって、コネクタ１は、ＣＰＡ部材９が初期位置から嵌合保証位置まで移動させられたことをもって、メスロック部７３がオスビーク５４に係止され、オスハウジング５とメスハウジング７とが完全に嵌合したことを保証することができ、この構成において、上記のように動作フィーリングの悪化を抑制することができる。
【００６８】
なお、本実施形態のコネクタ１は、図２０、図２１、図２２等に示すように、オスコネクタ２のオスハウジング５に姿勢保持リブ部５５を備えることで、オスハウジング５とメスハウジング７との傾きの抑制を図っている。姿勢保持リブ部５５は、オスハウジング５において、フード部５１の内側、すなわち、嵌合空間部５２内に形成される。姿勢保持リブ部５５は、嵌合空間部５２を区画するフード部５１の内壁面から突出すると共に、軸方向Ｘに沿って延在して形成される。姿勢保持リブ部５５は、フード部５１内の４つの角にそれぞれ１つずつ、合計４つが設けられる。姿勢保持リブ部５５は、メスハウジング７におけるメス本体部７１の小径部７１Ｂが嵌合空間部５２内に嵌合された状態で、当該小径部７１Ｂの外面との間のガタを詰めるようにして当該小径部７１Ｂの姿勢を保持する。そして、このコネクタ１は、オスハウジング５の嵌合空間部５２内において、姿勢保持リブ部５５の軸方向Ｘに沿った長さを相対的に長く確保することができるので、オスハウジング５とメスハウジング７との嵌合初期の相対的に早いタイミング、例えば、オス端子４とメス端子６との接触前のタイミングから複数の姿勢保持リブ部５５がメスハウジング７と複数箇所で当接し傾きを規制することができる。この結果、コネクタ１は、各姿勢保持リブ部５５によってオスハウジング５とメスハウジング７との相対的な傾きを補正することができ、オスハウジング５に対するメスハウジング７の姿勢を適正な姿勢で保持することができる。これにより、コネクタ１は、例えば、オスハウジング５とメスハウジング７とが完全に嵌合した状態でオス端子４とメス端子６とが適正な位置関係から傾くことを確実に抑制することができ、この点でもオスハウジング５とメスハウジング７とを嵌合させる際の動作フィーリングの悪化を抑制することができる。また、コネクタ１は、例えば、ＣＰＡ部材９等を介さずに、オスハウジング５に対するメスハウジング７、ＣＰＡ部材９の姿勢を適正な姿勢で保持することができ、小型化を図ることができる。
【００６９】
なお、上述した本発明の実施形態に係るコネクタは、上述した実施形態に限定されず、特許請求の範囲に記載された範囲で種々の変更が可能である。
【００７０】
また、以上の説明では、第１端子がオス端子４、第１ハウジングがオスハウジング５、第２端子がメス端子６、第２ハウジングがメスハウジング７であるものとして説明したが、これに限らず、第１端子がメス端子、第１ハウジングがメスハウジング、第２ハウジングがオスハウジング、第２端子がオス端子であってもよい。
【００７１】
以上の説明では、突起部５４ｄは、オスビーク５４において、幅方向Ｙのほぼ中央に１つ形成されるものとして説明したがこれに限らず、複数形成されていてもよく、例えば、幅方向Ｙの両端に１つずつ形成されていてもよい。この場合、メスロック部７３の切り欠き部も突起部５４ｄの数に応じて複数設けられる。
【符号の説明】
【００７２】
１    コネクタ
４    オス端子（第１端子）
５    オスハウジング（第１ハウジング）
６    メス端子（第２端子）
７    メスハウジング（第２ハウジング）
９    ＣＰＡ部材（嵌合検知部材）
５４    オスビーク（第１係止部）
５４ｂ    オス側係止面（第１係止面）
５４ｃ    引き込み傾斜面
５４ｄ    突起部
５４ｅ    突出先端
５５    姿勢保持リブ部
７３    メスロック部（第２係止部）
７３ａ    メス側係止面（第２係止面）
７３ｂ    案内部
７３ｃ    切り欠き部
９３    ＣＰＡロック部（第３係止部）
ＳＰ    空間部
Ｗ１、Ｗ２    電線
ＷＨ    ワイヤハーネス
【図１】
2017111910.tif 000003
【図２】
2017111910.tif 000004
【図３】
2017111910.tif 000005
【図４】
2017111910.tif 000006
【図５】
2017111910.tif 000007
【図６】
2017111910.tif 000008
【図７】
2017111910.tif 000009
【図８】
2017111910.tif 000010
【図９】
2017111910.tif 000011
【図１０】
2017111910.tif 000012
【図１１】
2017111910.tif 000013
【図１２】
2017111910.tif 000014
【図１３】
2017111910.tif 000015
【図１４】
2017111910.tif 000016
【図１５】
2017111910.tif 000017
【図１６】
2017111910.tif 000018
【図１７】
2017111910.tif 000019
【図１８】
2017111910.tif 000020
【図１９】
2017111910.tif 000021
【図２０】
2017111910.tif 000022
【図２１】
2017111910.tif 000023
【図２２】
2017111910.tif 000024